(57)【要約】      （修正有）【課題】スポイラーを有するバイクの排気管を提供する。【解決手段】スポイラーを有するバイクの排気管は、外管１０からなり、その両端は、第一蓋２０と、第二蓋３０を有し、蓋体上にそれぞれ気孔２１を有する。外管１０中に、消音綿４０を有し、消音綿４０中に、チューブ５０を穿設し、消音綿４０一端に、スポイラーを設置する。スポイラーは、少なくとも一つのスポイラー片６３を有し、排気管の排気過程で、スポイラー効果を提供して、流速を緩慢にし、これにより、排気動作時の騒音音量を抑制させる。【選択図】図１
0003147337.tif 000002
【実用新案登録請求の範囲】
【請求項１】
スポイラーを有するバイクの排気管であって、
中空で、両端が開口を有する管体である外管と、
前記外管一端の開口に設置され、気孔を有する第一蓋と、
前記外管のもう一端の開口に設置され、気孔を有する第二蓋と、
前記外管中に穿設され、両端は、それぞれ、前記第二蓋の対応箇所に風口を有し、前記風口が前記第二蓋の気孔に対応する消音綿と、
前記消音綿内に穿設されるチューブと、
前記消音綿の風口に設置され、内網管、螺棒素子、及び、少なくとも一つのスポイラー片を有するスポイラーと、からなり、
前記内網管は、前記消音綿の風口中に穿設され、前記消音綿内の管端は封閉し、前記封閉の壁面上は螺孔を貫設し、もう一つの管端は、開口を有し、前記第二蓋の気孔に連通し、
前記螺棒素子は、前記内網管の螺孔上で移動可能に設置され、その一端は、前記内網管外に延伸し、
前記スポイラー片は、螺棒素子の延伸端上に設置され、且つ、横向けで、前記消音綿内に設置されることを特徴とするスポイラーを有するバイクの排気管。
【請求項２】
前記スポイラー片は複数で、且つ、相互に平行、且つ、間隔をあけて設置され、前記の各スポイラー片の間隔は変更できることを特徴とする請求項１に記載のスポイラーを有するバイクの排気管。
【請求項３】
前記スポイラー片上に複数のスポイラー孔を設置し、且つ、前記のスポイラー孔は異なる孔径であることを特徴とする請求項１、或いは、２に記載のスポイラーを有するバイクの排気管。
【請求項４】
前記螺棒素子は、前記内網管の端上に位置し、ナットにより固定されることを特徴とする請求項３に記載のスポイラーを有するバイクの排気管。
【請求項５】
前記の各スポイラー片上のスポイラー孔は相互に対応することを特徴とする請求項４に記載のスポイラーを有するバイクの排気管。
【請求項６】
前記の各スポイラー片上のスポイラー孔は相互に交錯することを特徴とする請求項４に記載のスポイラーを有するバイクの排気管。
【請求項７】
前記の各スポイラー片の大きさは異なることを特徴とする請求項５に記載のスポイラーを有するバイクの排気管。
【請求項８】
前記の各スポイラー片の大きさは異なることを特徴とする請求項６に記載のスポイラーを有するバイクの排気管。
【請求項９】
前記のスポイラー片の断面は弧状であることを特徴とする請求項７に記載のスポイラーを有するバイクの排気管。
【請求項１０】
前記のスポイラー片の断面は弧状であることを特徴とする請求項８に記載のスポイラーを有するバイクの排気管。
【考案の詳細な説明】
【技術分野】
【０００１】
本考案は、スポイラーを有するバイクの排気管に関するものであって、特に、車体の進行中に生じるガスを排気する排気管に関する。
【背景技術】
【０００２】
バイクは、エンジンによりガソリンを燃焼させて、動力により車体を帯動し、ガスの排気と同時に、巨大な騒音を発するので、バイクに排気管を装着して、排気騒音を減少させている。
【０００３】
現有の排気管中、多くが、チューブ、消音装置等の装置により、排気音量を減少しているが、排気管の両端間に、流速を緩慢にするスポイラーがないので、気体排出時に、直接、流動して、騒音の削減には限界がある。
【考案の開示】
【考案が解決しようとする課題】
【０００４】
本考案の目的は、スポイラーを有するバイクの排気管を提供し、両端間にスポイラーを有して、排気を分散させて、騒音を減少させることにある。
【課題を解決するための手段】
【０００５】
上述の目的を達成するため、本考案のスポイラーを有するバイクの排気管は、外管と、第一蓋と、第二蓋と、消音綿と、チューブと、スポイラーと、からなる。
【０００６】
外管は、中空で、両端が開口を有する管体である。第一蓋は、外管一端の開口に設置され、気孔を有する。第二蓋は、外管のもう一端の開口に設置され、気孔を有する。消音綿は、外管中に穿設され、両端は、それぞれ、第一蓋と第二蓋に対応し、第二蓋は封閉状態で、端上は風口を設置し、風口は、第二蓋の気孔に対応する。チューブは、消音綿内に穿設される。スポイラーは、消音綿の風口に設置され、内網管、螺棒素子、及び、少なくとも一つのスポイラー片を有する。
【０００７】
内網管は、消音綿の風口中に穿設され、消音綿内の管端は封閉し、封閉の壁面上は螺孔を貫設し、もう一つの管端は、開口を有し、第二蓋の気孔に連通する。
【０００８】
螺棒素子は、内網管の螺孔上で移動可能に設置され、その一端は、内網管外に延伸する。
【０００９】
スポイラー片は、螺棒素子の延伸端上に設置され、且つ、横向けで、消音綿内に設置され、スポイラーは、複数のスポイラー孔を有する。
【考案の効果】
【００１０】
排気管の両端間に、スポイラーを設置するので、本考案により排気するとき、排気管中の気流がスポイラー片に接触したあと、分散されて、流速を緩慢にし、これにより、効果的に、排気時の騒音の音量を減少させることができる。
【考案を実施するための最良の形態】
【００１１】
図１、図２で示されるように、本考案のスポイラーを有するバイクの排気管は、外管１０と、第一蓋２０と、第二蓋３０と、消音綿４０と、チューブ５０と、スポイラー６０と、からなる。
【００１２】
外管１０は、中空で、両端が開口を有する管体である。第一蓋２０は、外管１０一端の開口に設置され、気孔２１を有する。第二蓋３０は、外管１０のもう一端の開口に設置され、気孔３１を有する。消音綿４０は、管状で、両端は、それぞれ、第一蓋２０と第二蓋３０に対応し、第二蓋３０は封閉状態で、端上は風口４１を設置し、風口４１は、第二蓋３０の気孔３１に対応する。消音綿４０は、外管１０中に穿設され、外管１０の内環壁面に対応し、排気時の騒音を減少させる。
【００１３】
チューブ５０は、消音綿４０内に穿設される。その壁面は複数の穿孔を有し、消音綿４０の内環壁面に対応する。
【００１４】
図３〜図６で示されるように、前述のスポイラー６０は、消音綿４０の風口４１に設置され、更に、内網管６１、螺棒素子６２、及び、少なくとも一つのスポイラー片６３を有する。
【００１５】
内網管６１は、中空で、壁面上に複数の穿孔を有する管体で、消音綿４０の風口４１中に対応し、消音綿４０の管端６１１は封閉で、封閉の管端６１１壁面上に螺孔６１２を有し、もう一端は、開口を有し、第二蓋３０の気孔３１に対応して連通する。
【００１６】
螺棒素子６２は棒状で、螺合により、内網管６１の螺孔６１２上に可動可能に穿設され、その一端は、内網管６１内に位置し、ナット６１４により固定され、もう一端は、内網管６１外に延伸する。
【００１７】
スポイラー６３は複数の片体で（もう一つの実施例中では、単一の片体である）、片体は平行で、且つ、間隔をあけて、螺棒素子６２の延伸端上に設置され、横向けに、消音綿４０内に設置される。各スポイラー６３は円形で、且つ、各スポイラー片６３の大きさは異なり、上に、複数のスポイラー孔６３１を有する。各スポイラー孔６３１は相対して、或いは、交錯して配列され、また、スポイラー片６３の間隔は変更でき、且つ、断面は弧状である。
【００１８】
本考案の使用時、選択的に、第一蓋２０、或いは、第二蓋３０を吸気端とし、もう一端は排気端とし、本考案の第二端３０を吸気端として、排気ガスを排気するとき、排気管に流入する気体は、まず、管端６１１の阻止により、内網管６１壁面の穿孔から排出し、スポイラー片６３の阻止により、スポイラー孔６３１を穿過して、スポイラー効果を得て、最後に、チューブ５０により、第一蓋２０の気孔２１から排気管外に排出し、スポイラー片６３により集中していた気流を分散させ、これにより、気流が流速を緩慢にし、排気動作時に生じる騒音を効果的に抑制する。
【図面の簡単な説明】
【００１９】
【図１】本考案の分解図である。
【図２】本考案の側視断面図である。
【図３】本考案の局部側視断面図である。
【図４】本考案の局部素子外観図である。
【図５】本考案のもう一つの実施例による局部素子側視図である。
【図６】本考案のもう一つの実施例による局部素子外観図である。
【符号の説明】
【００２０】
10    外管       
20    第一蓋
21    気孔       
30    第二蓋
31    気孔       
40 
消音綿
41 
風口       
50    チューブ
60    スポイラー       
61 
内網管
611 
管端        
612 
螺孔        
62    螺棒素子
63    スポイラー片
631 
スポイラー孔     
64    ナット
【図１】
0003147337.tif 000003
【図２】
0003147337.tif 000004
【図３】
0003147337.tif 000005
【図４】
0003147337.tif 000006
【図５】
0003147337.tif 000007
【図６】
0003147337.tif 000008